(57)【特許請求の範囲】
【請求項１】
洋式便器の上面に下面を接し、又は、近接させると共に、便座及び便蓋を回動起伏可能に備える便器装着体であって、かつ、当該便座及び便蓋の回動組み付け部との間に間隔を開けて当該洋式便器の上部に回動可能に組み付けられる便器装着体のリフト機構であって、
このリフト機構が、一端側で回動可能に組み付けられ、かつ、自由端側を常時互いに離れ出させる向きに付勢手段により付勢される一対のアーム体と、
前記一対のアーム体の自由端側の近付く向きの移動を制動するダンパ手段とを備えており、
この一対のアーム体が、前記便器装着体における前記洋式便器への回動組み付け部の側に回動組み付け側を位置付けた状態で、当該一対のアームの一方が少なくともその自由端側を洋式便器の上面側に接しさせ、かつ、当該一対のアーム体の他方が前記便器装着体側に組み付けられる構成としてあると共に、
前記付勢手段の付勢力が、前記洋式便器の上面に前記便器装着体の下面が接し、又は、近接された位置から、当該便器装着体を前記回動組み付け部を中心に所定起立位置に回動させた際に、当該便器装着体の重さによる前記一対のアーム体の自由端側を近付ける向きの力よりも大きくなるようにしてあることを特徴とする便器装着体のリフト機構。
【発明の詳細な説明】
【０００１】
【発明の属する技術分野】
この発明は、洋式便器の上面に取り付けられる便座および便蓋を回動可能に組み付けた便器装着体を必要に応じて持ち上げ、当該便器装着体直下の便器の上面の清掃などを容易になし得るようにする当該便器装着体のリフト機構の提供に関する。
【０００２】
【従来の技術】
洋式便器に取り付けられる便座および便蓋は、一般に、当該便器の後部上面にかかる便座および便蓋を回動可能に組み付けた部材（便器装着体）を固定させることにより、当該便器に備え付けられる。こうした便器装着体は、その下面の少なくとも一部を便器の上面に接しさせ、または、近接させた状態で、かかる便器に取り付けられる。
【０００３】
【発明が解決しようとする課題】
しかるに、衛生上の観点等から、こうした便器装着体の下面ないしはこの便器装着体の下面直下にある便器の上面を清掃などすることが求められる場合も少なくない。しかし、こうした便器装着体は便器に対しボルトなどをもって簡単には取り外しができない状態で固定されている場合が少なくなく、こうした清掃などを容易にはなし得ないのが通例であった。
【０００４】
また、近年においては、温水洗浄式便座が普及してきているところ、こうした温水洗浄式便座においては、通例、温水洗浄装置、温風乾燥装置、ビデなどが便座および便蓋を回動可能に組み付ける前記便器装着体に内蔵される。このため、こうした便器装着体は比較的大きいものなっており、便器の後部上面を幅広く覆うことから、前記清掃などの要請は通常の便座および便蓋を備えた便器装着体の場合に比べ高いものとなっている。しかも、こうした温水洗浄装置などを備えた便器装着体は比較的重く、さらに、便器に対する組み付けも簡易とはいえない場合が少なくないため、こうした便器装着体にあっては前記清掃等のために便器から取り外すことが一層単純にはなし難いものとなっている。
【０００５】
そこでこの発明は、便座および便蓋を回動可能に組み付けた便器装着物の下面と便器との間に清掃等に十分な隙間を容易に形成できるようにすることを目的とする。
【０００６】
【課題を解決するための手段】
前記目的を達成するために、請求項１記載の発明にあっては、便器装着体のリフト機構が以下の（１）〜（５）の構成を備えたものとした。
（１）洋式便器の上面に下面を接し、又は、近接させると共に、便座及び便蓋を回動起伏可能に備える便器装着体であって、かつ、当該便座及び便蓋の回動組み付け部との間に間隔を開けて当該洋式便器の上部に回動可能に組み付けられる便器装着体のリフト機構であって、
（２）このリフト機構が、一端側で回動可能に組み付けられ、かつ、自由端側を常時互いに離れ出させる向きに付勢手段により付勢される一対のアーム体と、
（３）前記一対のアーム体の自由端側の近付く向きの移動を制動するダンパ手段とを備えており、
（４）この一対のアーム体が、前記便器装着体における前記洋式便器への回動組み付け部の側に回動組み付け側を位置付けた状態で、当該一対のアームの一方が少なくともその自由端側を洋式便器の上面側に接しさせ、かつ、当該一対のアーム体の他方が前記便器装着体側に組み付けられる構成としてあると共に、
（５）前記付勢手段の付勢力が、前記洋式便器の上面に前記便器装着体の下面が接し、又は、近接された位置から、当該便器装着体を前記回動組み付け部を中心に所定起立位置に回動させた際に、当該便器装着体の重さによる前記一対のアーム体の自由端側を近付ける向きの力よりも大きくなるようにしてある。
【０００７】
かかる構成によれば、前記便器装着体を前記回動組み付け部を中心に所定起立位置に回動させるまでは、前記一対のアーム体の自由端側を近付ける向きの力が前記付勢手段の付勢力よりも大きいことから、前記便器装着体の下面が便器の上面に接し、または、近接した当該便器装着体の通常位置においては、前記付勢手段の付勢にかかわらず、当該便器装着体は安定的に当該位置に維持される。
【０００８】
次いで、当該便器装着体の下面ないしは、当該下面の直下にある便器の上面の清掃などが必要になった場合には、前記便器装着体を前記回動組み付け部を中心に所定起立位置を越える位置まで回動させることにより、前記付勢手段の付勢力によって前記下部アームの自由端を便器の上面に押し当てて支持させながら、当該便器装着体を上方に回動させ、下方に下がり戻らないようにすることができ、当該便器装着体の下面と便器の上面との間に前記清掃などに必要な隙間を作ることができる。
【０００９】
また、このように上方に回動された便器装着体を、再び前記所定起立位置を越える位置まで下方に押し下げ操作する際には、前記ダンパ手段により、この便器装着体の押し下げ移動、すなわち、前記一対のアーム体の自由端側を近付ける向きの移動に所望の制動力を作用させることができる。
【００１０】
【発明の実施の形態】
以下、図１ないし図１９に基づいて、この発明の典型的な実施の形態について、説明する。
【００１１】
なお、ここで図１は、この実施の形態にかかるリフト機構Ｒの適用例を理解し易いように、当該リフト機構Ｒの適用された便器１００を側方から見た状態で示している。また、図２は、リフト機構Ｒを構成する一対のアーム体１０、１０とダンパ手段２０とを分離して斜視の状態として、また、図３は、一対のアーム体１０、１０の自由端１０ａ側をもっとも近接させた状態における当該一対のアーム体１０、１０およびダンパ手段２０を、その一部を断面にして後述する上部アーム体１１の側から見て示している。
【００１２】
また、図４および図５は、後述する伏倒位置ＤＷに便器装着体２００を位置付けた状態をそれぞれ示しており、図６はダンパ手段２０の取り付け側から見た状態で一部を断面にして、また、図７は図６と反対の側から見た状態で一部を断面にして示している。
【００１３】
また、図６よび図７は、便器装着体２００をその回動組み付け部４０１を中心にもっとも起立させた状態をそれぞれ示しており、図４はダンパ手段２０の取り付け側から見た状態で一部を断面にして、また、図５は図４と反対の側から見た状態で一部を断面にして示している。
【００１４】
また、図８ないし図１１は、前記便器装着体２００の回動操作に伴うダンパ手段２０の動作を理解し易いように、当該ダンパ手段２０を構成するケース本体２２の開口を塞ぐ蓋体２３を省略した状態でそれぞれ示しており、図８は、前記便器装着体２００が伏倒位置ＤＷにあるときの状態を、図９は、当該伏倒位置ＤＷから起立方向に便器装着体２００が回動されているときの状態を、図１０は、便器装着体２００がもっとも起立されているときの状態を、さらに、図１１は、図１０の状態から便器装着体２００が再び伏倒位置ＤＷに向けて回動されている途中の状態を、それぞれ示している。
【００１５】
また、図１２および図１３は、ダンパ手段２０を構成するケース本体２２を互いに異なる向きから見て、また、図１４は、当該ダンパ手段２０を構成する蓋体２３を内側から見て、また、図１５は、当該蓋体２３を断面にして、さらに、図１６ないし図１９は、ダンパ手段２０を構成するロータ２４を互いに異なる向きから見て、それぞれ示している。
【００１６】
この実施の形態にかかるリフト機構Ｒは、洋式便器１００の後部１０１上面１０３に対し、下面２０１を接し、又は、近接させた状態で装着される便器装着体２００を、当該下面２０１を便器１００の上面１０３から引き離すように必要に応じて持ち上げるようにするために用いられるものである。
【００１７】
すなわち、この実施の形態にあっては、かかる便器装着体２００は、便器１００の前部１０２側に向けられた側部をもって便座Ｓおよび便蓋Ｆを回動起伏可能に備えると共に、（図１）これと反対の側部をもって便器１００上面１０３に回動可能に組み付けられている。（図１）図中符号３００で示されるのは、便器１００の上面にボルト３０１により固定された取り付けプレートであり、便器装着体２００は図中符号４００で示される回動軸をもって当該取り付けプレート３００における便器１００の前部１０２側の側部に前記のように回動可能に組み付けられている。すなわち、当該回動軸４００が便器装着体２００の回動組み付け部４０１とされる。
【００１８】
また、図中符号２０２で示されるのは、前記のように構成される便器装着体２００におけるベース体であり、この実施の形態にあっては、このベース体２０２の下面が便器１００の上面１０３に近接すると共に、このベース体２０２の上部に便座Ｓおよび便蓋Ｆの取付部２０２ａが設けられて便器装着体２００を構成するようにしてある。この取付部２０２ａに、温水洗浄式便座を構成する温水洗浄装置などを内蔵することにより、前記便器装着体２００をもって温水洗浄式便座を構成することができる。
【００１９】
この実施の形態にかかるリフト機構Ｒは、このように構成される便器装着体２００における前記ベース体２０２に取り付けられる構成としてある。
【００２０】
すなわち、かかるリフト機構Ｒは、一端側で回動可能に組み付けられ、かつ、自由端１０ａ側を常時互いに離れ出させる向きに付勢手段３０により付勢される一対のアーム体１０、１０と、前記一対のアーム体１０、１０の自由端１０ａ側の近付く向きの移動を制動させるダンパ手段２０とを備えている。そして、前記ベース体２０２に形成された下面開口２０２ｃの収納室２０２ｂ内に、前記一対のアーム体１０、１０の自由端１０ａを前記付勢手段３０の付勢に抗してもっとも近接させた状態で、この収納室２０２ｂの開口２０２ｃ縁が便器１００上面１０３に近接されるように、当該一対のアーム体１０、１０を収納、組み付けると共に、前記ダンパ手段２０を収納、組み付けた構成としてある。
【００２１】
より詳細には、前記一対のアーム体１０、１０は、その回動組み付け部１０ｂを前記便器装着体２００の回動組み付け部４０１側、すなわち、前記取り付けプレート３００に対する回動軸４００の側に位置付け、自由端１０ａ側を便器１００の前部１０２に向けた状態で前記ベース体２０２に組み付けられている。
【００２２】
一対のアーム体１０、１０の一方は、プレート状をなし、前記ベース体２０２の収納室２０２ｂの内奥面に上面を密着させた状態でボルトにより止め付けられている。（以下、このベース体２０２に取り付けられている側のアーム体１０を上部アーム体１１という。）
【００２３】
一方、一対のアーム体１０、１０の他方は、前記上部アーム体１１における回動組み付け部１０ｂを間に挟み込む一対の突き出し部１２ａ、１２ａをその回動組み付け部１０ｂに備えていると共に、自由端１０ａ側を便器１００の上面１０３に接しさせている。（以下、この便器１００の上面１０３に自由端１０ａを接しさせている側のアーム体１０を下部アーム体１２という。）
【００２４】
そして、前記上部アーム体１１における回動組み付け部１０ｂと、前記下部アーム体１２の一対の突き出し部１２ａ、１２ａとに、相互に連通する軸穴１１ｃ、１２ｂが形成してあり、このように連通される各軸穴１１ｃ、１２ｂにシャフト１３を挿通して上部アーム体１１と下部アーム体１２とが前記自由端１０ａ側を近接離隔可能とするように回動可能に組み付けられている。
【００２５】
また、前記シャフト１３には、前記上部アーム体１１の幅内に収まるようにねじりコイルバネ３１が巻装されている。そして、このねじりコイルバネ３１は、その一端を上部アーム体１１の下面１１ａに、また、他端を下部アーム体１２の上面１２ｄに、それぞれ常時突き当てるように弾性変形された状態で前記シャフト１３に巻装されている。この結果、この実施の形態にあっては、前記一対のアーム体１０、１０はその自由端１０ａ側を引き離す向きに前記ねじりコイルバネ３１の付勢力により回動される。すなわち、この実施の形態にあっては、かかるねじりコイルバネ３１が前記付勢手段３０とされている。
【００２６】
また、前記ダンパ手段２０は、この実施の形態にあっては、液密に構成されたケース２１と、このケース２１に前記一対のアーム体１０、１０のシャフト１３の軸線上に回動軸２４ａの軸線を位置させた状態で収められたロータ２４と、このケース２１内に収めたシリコンオイルなどの粘性液体（図示は省略する。）とを備えて構成してある。
【００２７】
前記ケース２１は、前記ベース体２０２の収納室２０２ｂ内に収められると共に、取付部２１ａをもって当該ベース体２０２に固定されている。また、前記ロータ２４は、その回転軸２４ａの一端部をケース体の側面から外方に突き出させており、このロータ２４の回転軸２４ａの突き出し端２４ｂが前記下部アーム体１２の一対の突き出し部１２ａ、１２ａの一方に固定されている。より詳細には、かかるロータ２４の回転軸２４ａの突き出し端２４ｂは横断面を略長方形状とするように形成されており、一方、前記下部アーム体１２の突き出し部１２ａの一方にはかかる回転軸２４ａの突き出し端２４ｂが嵌る当該突き出し端２４ｂの外形に倣った嵌込み穴１２ｃが設けてある。この嵌込み穴１２ｃに前記回転軸２４ａの突き出し端２４ｂを嵌込むことにより、前記下部アーム体１２の回動に伴って前記ベース体２０２に固定されている前記ケース２１内でロータ２４が回転されるものとされる。
【００２８】
この実施の形態にあっては、前記ケース２１は、前記ロータ２４の回転軸２４ａの軸線に略直交する向きの断面において、略扇形状をなす前記ロータ２４の回動空間２１ｂを備えている。そして、前記ロータ２４は、かかるケース２１の回動空間２１ｂにおける前記扇形状の「かなめ」側において、当該ケース２１の幅広の両面に前記回転軸２４ａを軸支させて回動可能に組み付けられている。図中符号２２で示されるのは、前記ケース２１のケース本体であり、図中符号２３で示されるのは、このケース本体２２の開口を液密に塞ぐ蓋体である。前記ロータ２４の回動軸２４ａの一端はケース本体２２の底部に設けた軸受凹部２２ａに収められ、前記突き出し端２４ｂ側は前記蓋体２３に透設された軸穴２３ａから外方に突き出されている。
【００２９】
前記ロータ２４は、前記回動軸２４ａの形成側から先端側に向けて、その回動方向に沿った幅を次第に狭くするように、先細りに構成されている。また、かかるロータ２４は、その回動軸２４ａに沿った厚さを長さ方向に亙るいずれの箇所においても略等しくするように構成されており、この厚さ方向に前記ケースの幅広側の両内面間に略亙る寸法の厚さ側側面２４ｃを有している。また、かかるロータ２４は、その先端部を前記ケースの回動空間２１ｂを囲む湾曲面２１ｃに摺接するように回動する長さに形成してある。
【００３０】
また、かかるロータ２４における先端側には、このロータ２４の両厚さ側側面２４ｃ、２４ｃにおいてそれぞれ開口するように、このロータ２４の回動方向に向けて当該ロータ２４に透設された流入穴２４ｄが設けてある。
【００３１】
また、このロータ２４には、当該ロータ２４の厚さ側側面２４ｃの一方に沿って、板バネ状をなす弁板２４ｅが添装状態に取り付けてある。そして、この弁板２４ｅにより、前記流入穴２４ｄにおける一方の開口が塞がれた構成としてある。
【００３２】
より詳細には、かかる弁板２４ｅは、一端側に略直角に曲げられた屈曲部２４ｆを有しており、前記ロータ２４における回動軸２４ａと当該ロータ２４における後端との間に形成させた第一の嵌込み溝２４ｈと、かかる弁板２４ｅの添装される厚さ側側面２４ｃの側方に形成された側壁２４ｉと当該厚さ側側面２４ｃとによりこの第一の嵌込み溝２４ｈに連通するように形成された第二の嵌込み溝２４ｊとに、前記屈曲部２４ｆが前記第一の嵌込み溝２４ｈに嵌め入れられる向きで嵌込まれて当該ロータ２４に取り付けられている。前記側壁２４ｉは、前記流入穴２４ｄの開口付近に終端を持つように形成されており、また、この側壁２４ｉはこの終端に向けて次第に前記厚さ側側面２４ｃから離れ出すように湾曲されており、前記第二の嵌込み溝２４ｊは前記ロータ２４の先端側において溝幅を次第に広くするように構成されている。そして、前記弁板２４ｅは、最大限、この側壁２４ｉに前記厚さ側側面２４ｃに接する側の面と反対の面２４ｇを接する位置まで、弾性的に変形可能に構成してあり、かかる弁板２４ｅの弾性変形により前記ロータ２４の流入穴２４ｄが開放される構成としてある。
【００３３】
そしてこの実施の形態にあっては、前記一対のアーム体１０、１０がその自由端１０ａをもっとも近接させた位置（図５）において、前記便器装着体２００の下面２０１、すなわち、前記ベース体２０２の下面が便器１００の上面にもっとも近接され、（以下、便器装着体２００の伏倒位置ＤＷという。）しかも、この伏倒位置ＤＷにおいて、前記ダンパ手段２０のロータ２４が起立位置（図８の位置）にあるようにしてある。そして、この起立位置において、かかるロータ２４は前記ケースの回動空間２１ｂを囲う一側面に前記弁板２４ｅの添装側を接しさせる構成としてある。
【００３４】
この結果、この実施の形態にあっては、前記一対のアーム体１０、１０の自由端１０ａが互いに離れ出される向きに移動されると、これに伴ってケース２１側を前記ベース体２０２にロータ２４側を前記下部アーム体１２に固定された前記ダンパ手段２０の当該ロータ２４は伏倒向きに回動されるが、この移動により前記流入穴２４ｄを通じてロータ２４の回動前方側から後方側に向けて前記粘性流体の圧力が前記弁板２４ｅに加わるため、当該弁板２４ｅは当該流入穴２４ｄを開放させる向きに弾性変形され、この流入穴２４ｄの開放により自由端１０ａを離れ出させる向きへの前記一対のアーム体１０、１０の回動には粘性流体の抵抗が強固に働かず、かかる向きへの一対のアーム体１０、１０の回動、すなわち、前記便器装着体２００の伏倒位置ＤＷから起立方向に向けた移動にはダンパ手段２０の所望の制動力が作用されない。（図９〜図１０）
【００３５】
一方、自由端１０ａを離れ出させた前記一対のアーム体１０、１０の当該自由端１０ａを互いに近付ける向きに当該一対のアーム体１０、１０が回動されると、すなわち、起立された前記便器装着体２００の下面２０１を便器１００の上面１０３に近付ける伏倒位置ＤＷに向けて移動させると、この向きへのロータ２４の回動時には前記流入穴２４ｄが前記弁板２４ｅにより塞がれ、ロータ２４の回動後方側への封入された粘性流体の移動はロータ２４の外面とケース２１内面とのわずかな隙間を通じて少しづつなされるに留まる。（図１０〜図１１）このため、この実施の形態にかかるダンパ手段２０によれば、自由端１０ａを互いに近付ける向きへの一対のアーム体１０、１０の回動、すなわち、前記便器装着体２００の下面２０１を便器１００の上面１０３に近付ける向きへの移動に、所望の制動力を付与させることができる。
【００３６】
また、この実施の形態にあっては、前記付勢手段３０の付勢力が、前記便器装着体２００の重さによる前記一対のアーム体１０、１０の自由端１０ａ側を近付ける向きへの力に対し、前記回動軸４００を中心として当該便器装着体２００が所定起立位置を越えて回動されるまでの間は、この近付ける向きの力よりも小さく、この所定起立位置を越えて便器装着体２００が回動されると、この近付ける向きの力より大きくなる大きさに設定してある。
【００３７】
この結果、この実施の形態にあっては、前記便器装着体２００の伏倒位置ＤＷにおいては、前記付勢手段３０の付勢にかかわらず、当該便器装着体２００は安定的に当該伏倒位置ＤＷに維持される。
【００３８】
次いで、当該便器装着体２００の下面２０１ないしは、当該下面２０１の直下にある便器１００の上面１０３の清掃などが必要になった場合には、前記便器装着体２００を前記回動組み付け部４０１を中心に所定起立位置を越える位置まで回動させることにより、前記付勢手段３０の付勢力によって前記下部アーム体１２の自由端１０ａを便器１００の上面１０３に押し当てて支持させながら、当該便器装着体２００を上方に回動させ、下方に下がり戻らないようにすることができ、当該便器装着体２００の下面２０１と便器１００の上面１０３との間に前記清掃などに必要な隙間を作ることができる。
【００３９】
すなわち、便器装着体２００が、前記回動組み付け部４０１（回動軸４００）を中心に、前記伏倒位置ＤＷから起立方向に向けて回動されると、この回動に追随して、前記付勢手段３０により自由端１０ａ側を開きだす向きに付勢されている一対のアーム体１０、１０は次第に自由端１０ａ側を開きださせる。そして、この開きだしにより、前記下部アーム体１２はその自由端１０ａを便器１００の上面１０３に摺接させながら、この自由端１０ａ側を前記シャフト１３を中心に前記便器装着体２００の回動組み付け部４０１側に次第に近付けるように起立向きに回動される。ここで、前記便器装着体２００の荷重（前記シャャフト１３の中心を通る鉛直線ｙに沿った向きの力Ｆ１）は、前記下部アーム体１２の自由端１０ａと前記シャフト１３の中心を通る仮想の線分ｘに沿った向きの力Ｆ２と、一対のアーム体１０、１０の自由端１０ａ側を近付けさせるように作用される力Ｆ３に分力化される。このため、前記下部アーム体１２が起立向きに回動され、この下部アーム体１２の自由端１０ａと前記シャフト１３の中心を通る仮想の線分ｘと、このシャフト１３の中心を通る鉛直線ｙとのなす角度θが小さくなって行くと、前記力Ｆ３は次第に小さくなる。したがって、前記付勢手段３０の付勢力を、前記便器装着体２００の所望の起立方向への回動位置、すなわち、前記所定起立位置から先において前記力Ｆ３よりも大きく設定しておくことにより、この所定起立位置から先にあっては付勢手段３０の付勢力により緩やかに便器装着体２００を持ち上げることができ、また、一旦持ち上げられた便器装着体２００を再び下方に押し下げる操作をしない限り、この便器装着体２００が下方に下げ戻らないように維持させることができる。
【００４０】
また、このように上方に回動された便器装着体２００を、再び前記所定起立位置を越える位置まで下方に押し下げ操作する際には、前記ダンパ手段２０により、この便器装着体２００の押し下げ移動、すなわち、前記一対のアーム体１０、１０の自由端１０ａ側を近付ける向きの移動に所望の制動力を作用させることができ、この押し下げ移動に伴って便器装着体２００が急激に下がって操作者の手や腕などが便器装着体２００と便器１００の上面との間に強くはさまれるといった不具合を生じさせない。
【００４１】
なお、この実施の形態にあっては、前記便器装着体２００の上方への回動操作に伴なう前記一対のアーム体１０、１０における下部アーム体１２の自由端１０ａの便器１００の上面１０３への摺接移動をスムースならしめるなどの目的から、当該自由端１０ａに前記シャフト１３と平行なシャフト１２ｅを回動可能に設け、このシャフト１２ｅに便器１００の上面１０３に下端を接して回転する複数のローラ１２ｆ、１２ｆ…を設けさせている。
【００４２】
【発明の効果】
この発明にかかる便器装着体のリフト機構によれば、便座および便蓋を回動可能に組み付けた便器装着物の下面と便器の上面との間に、当該便器装着物を便器から取り外すことなく当該箇所の清掃等に十分な隙間を容易に形成させることができる。
【図面の簡単な説明】
【図１】リフト機構Ｒの適用例を示す構成図
【図２】リフト機構Ｒの分離斜視図
【図３】リフト機構Ｒの一部破断平面図
【図４】リフト機構Ｒの使用状態を示す一部破断構成図（伏倒位置ＤＷ）
【図５】図４と反対の向きから見た第一の実施の形態にかかるリフト機構Ｒの使用状態を示す一部破断構成図（伏倒位置ＤＷ）
【図６】リフト機構Ｒの使用状態を示す一部破断構成図
【図７】図６と反対の向きから見たリフト機構Ｒの使用状態を示す一部破断構成図
【図８】ダンパ手段２０の側面構成図
【図９】ダンパ手段２０の側面構成図
【図１０】ダンパ手段２０の側面構成図
【図１１】ダンパ手段２０の側面構成図
【図１２】ケース本体２２の平面図
【図１３】ケース本体２２の側面図
【図１４】蓋体２３の平面図
【図１５】図１４におけるＡ−Ａ線断面図
【図１６】ロータ２４の平面図
【図１７】ロータ２４の側面図
【図１８】ロータ２４の底面図
【図１９】図１７と異なる向きから見たロータ２４の側面図
【符号の説明】
１００  便器
１０３  上面
Ｓ  便座
Ｆ  便蓋
２００  便器装着体
Ｒ  リフト機構
１０  アーム体
１０ａ  自由端
２０  ダンパ手段
３０  付勢手段
【図１】
0003800969.tif 000002
【図２】
0003800969.tif 000003
【図３】
0003800969.tif 000004
【図４】
0003800969.tif 000005
【図５】
0003800969.tif 000006
【図６】
0003800969.tif 000007
【図７】
0003800969.tif 000008
【図８】
0003800969.tif 000009
【図９】
0003800969.tif 000010
【図１０】
0003800969.tif 000011
【図１１】
0003800969.tif 000012
【図１２】
0003800969.tif 000013
【図１３】
0003800969.tif 000014
【図１４】
0003800969.tif 000015
【図１５】
0003800969.tif 000016
【図１６】
0003800969.tif 000017
【図１７】
0003800969.tif 000018
【図１８】
0003800969.tif 000019
【図１９】
0003800969.tif 000020